(57)【要約】【課題】消費電力を低減させた在不在センサ装置を提供すること。【解決手段】生体の生体振動を検出し、生体振動に基づいた生体信号を生成する生体監視用センサ１０と、生体信号に基づいて生体が居るかどうかの在不在判定を行うマイクロコントローラ５０と、マイクロコントローラ５０が在不在判定を行うアクティブモードと、マイクロコントローラが在不在判定を一時的に停止するスリープモードと、を切り替えるアクティベート信号を生成するタイマー４０と、を備え、マイクロコントローラ５０は、アクティベート信号に基づいて、アクティブモードとスリープモードとを切替えつつ在不在判定を行う。【選択図】図１
2018078980.tif 000002
【特許請求の範囲】
【請求項１】
生体の生体振動を検出し、前記生体振動に基づいた生体信号を生成する生体監視用センサと、
前記生体信号に基づいて前記生体が居るかどうかの在不在判定を行うマイクロコントローラと、
前記マイクロコントローラが前記在不在判定を行うアクティブモードと、前記マイクロコントローラが前記在不在判定を一時的に停止するスリープモードと、を切り替えるアクティベート信号を生成するタイマーと、
を備え、
前記マイクロコントローラは、前記アクティベート信号に基づいて、前記アクティブモードと前記スリープモードとを切替えつつ前記在不在判定を行う、
在不在センサ装置。
【請求項２】
請求項１に記載の在不在センサ装置において、
前記マイクロコントローラは、前記在不在判定において、前回の前記生体信号と今回の前記生体信号との差分の絶対値である生体信号変動値を算出し、前記生体信号変動値と所定の変動閾値とを比較し、前記生体が居るかどうかを仮判定する第１の在不在判定を繰り返し行い、前記第１の在不在判定において、生体信号変動値が変動閾値を超えている場合、前記生体が居るものと仮判定し、前記生体が居るものと仮判定した回数である生体検出回数をカウントし、直近で所定の回数行われた前記第１の在不在判定においてカウントされた前記生体検出回数が、前記生体が居るかどうかの判定基準となる所定の在不在判定回数以上であるかどうかを判定する第２の在不在判定を行い、前記第２の在不在判定において、前記生体検出回数が前記在不在判定回数以上である場合、前記生体が居るものと判定し、前記生体検出回数が前記在不在判定回数未満である場合、前記生体が居ないものと判定する、
在不在センサ装置。
【請求項３】
請求項２に記載の在不在センサ装置において、
無線通信を介して外部装置と接続される無線モジュールを備え、
前記マイクロコントローラは、今回の在不在判定結果と、前回の前記在不在判定結果と、が同一であるかどうかを判定する在不在変動判定を行い、前記在不在変動判定において、前記今回の在不在判定結果と、前記前回の在不在判定結果と、が異なると判定した場合、
前記無線モジュールは、前記無線通信を介して前記今回の在不在判定結果を前記外部装置へ出力する、
在不在センサ装置。
【請求項４】
請求項１に記載の在不在センサ装置において、
アナログ信号の前記生体信号をデジタル信号に変換する生体信号変換部を備え、
前記マイクロコントローラは、前記デジタル信号に変換された前記生体信号に基づいて前記在不在判定を行う、
在不在センサ装置。
【請求項５】
請求項４に記載の在不在センサ装置において、
前記マイクロコントローラは、前記生体信号変換部が前記生体信号のデジタル変換を行う変換実行モードと、前記生体信号変換部が前記生体信号のデジタル変換を一時的に停止する変換停止モードとを切替える変換モード切替信号を生成し、
前記アクティブモードから前記スリープモードへ切り替わる前に、前記変換実行モードから前記変換停止モードへ切り替える前記変換モード切替信号を生成し、前記スリープモードから前記アクティブモードへ切り替わった後、前記変換停止モードから前記変換実行モードへ切り替える前記変換モード切替信号を生成する、
在不在センサ装置。
【請求項６】
請求項１に記載の在不在センサ装置において、
前記生体信号を増幅する生体信号増幅部を備えている、
在不在センサ装置。
【請求項７】
請求項６に記載の在不在センサ装置において、
前記マイクロコントローラは、前記生体信号増幅部が前記生体信号の増幅を行う増幅実行モードと、前記生体信号増幅部が前記生体信号の増幅を一時的に停止する増幅停止モードとを切替える増幅モード切替信号を生成し、
前記アクティブモードから前記スリープモードへ切り替わる前に、前記増幅実行モードから前記増幅停止モードへ切り替える前記増幅モード切替信号を生成し、前記スリープモードから前記アクティブモードへ切り替わった後、前記増幅停止モードから前記増幅実行モードへ切り替える前記増幅モード切替信号を生成する、
在不在センサ装置。
【請求項８】
請求項１に記載の在不在センサ装置において、
前記マイクロコントローラ及び前記タイマーへ電力を供給するバッテリを備えている、
在不在センサ装置。
【請求項９】
請求項８に記載の在不在センサ装置において、
前記バッテリは、乾電池で構成されている、
在不在センサ装置。
【請求項１０】
請求項１に記載の在不在センサ装置において、
前記マイクロコントローラ及び前記タイマーへ電力を供給する太陽電池を備えている、
在不在センサ装置。
【請求項１１】
請求項１に記載の在不在センサ装置において、
前記生体監視用センサは、
前記生体の前記生体振動を伝達する振動伝達板と、
前記生体振動に基づいて前記生体信号を生成する生体振動検出部と、
を備えている、
在不在センサ装置。
【請求項１２】
請求項１１に記載の在不在センサ装置において、
前記生体振動検出部は、前記生体振動を電気信号に変換する圧電トランスデューサーからなる、
在不在センサ装置。
【請求項１３】
生体の生体振動を検出し、前記生体振動に基づいた生体信号を生成する生体監視用センサと、
前記生体信号に基づいて前記生体が居るかどうかの在不在判定を行うマイクロコントローラと、
前記マイクロコントローラが前記在不在判定を行うアクティブモードと、前記マイクロコントローラが前記在不在判定を一時的に停止するスリープモードと、を切り替えるタイマーと、
を備えた在不在センサ装置の在不在判定方法であって、
前記タイマーが、前記マイクロコントローラを前記スリープモードから前記アクティブモードに切り替える第１のステップと、
前記マイクロコントローラが、前回の前記生体信号と今回の前記生体信号との差分の絶対値である生体信号変動値を算出する第２のステップと、
前記マイクロコントローラが、前記生体信号変動値と所定の変動閾値とを比較し、前記生体が居るかどうかを仮判定する第１の在不在判定を行い、前記第１の在不在判定において、前記生体信号変動値が前記変動閾値を超えている場合、前記生体が居るものと仮判定し、前記生体が居るものと仮判定した回数である生体検出回数をカウントする第３のステップと、
前記マイクロコントローラが、直近で所定の回数行われた前記第１の在不在判定においてカウントされた前記生体検出回数が、前記生体が居るかどうかの判定基準となる所定の在不在判定回数以上であるかどうかを判定する第２の在不在判定を行う第４のステップと、
前記タイマーが、前記マイクロコントローラを前記アクティブモードから前記スリープモードに切り替える第５のステップと、
が行われ、
前記第４のステップにおいて、前記マイクロコントローラは、前記生体検出回数が前記在不在判定回数以上である場合、前記生体が居るものと判定し、前記生体検出回数が前記在不在判定回数未満である場合、前記生体が居ないものと判定する、
在不在センサ装置の在不在判定方法。
【発明の詳細な説明】
【技術分野】
【０００１】
本発明は、在不在センサ装置、及び在不在センサ装置の在不在判定方法に関する。
【背景技術】
【０００２】
生体の生体振動を検出する生体センサが医療・介護分野等で開発されている。例えば、生体センサがベッド等に設置されると、生体（例えば、人）が生体センサを意識することなく、生体の生体振動が検出される。このような生体センサを、例えば、人がベッド等に居る（在）か居ない（不在）か、を検出する装置等に利用することが提案されている。
【０００３】
例えば、特許文献１には、振動や電磁誘導に伴うノイズの影響を低減し、人に違和感を与えないで確実に在、不在を判定する監視装置が開示されている。例えば、特許文献１の監視装置は、人の体動を検出する体動検出手段と時系列データに変換するデータ収集手段と時系列データの分散値を算出する分散値算出手段とこの分散値により人の在、不在を判定する判定手段とを備えている。
【０００４】
また、特許文献２には、被験者が在床しているか否かを適切に判定可能とする在床判定装置が開示されている。例えば、特許文献２の在床判定装置は、敷寝具と共に使用可能であり、敷寝具上における被験者の生体変位を測定し、測定結果を示す測定信号を出力するセンサ部と、測定信号を第１ゲインで増幅して第１出力信号として出力する第１信号処理部と、第１出力信号をＡＤ変換して得た複数の第１レベル値を出力する第１ＡＤ変換部と、複数の第１レベル値のばらつきの程度を示すばらつき尺度に応じて、被験者が在床しているか否かを判定する判定部とを備えている。
【先行技術文献】
【特許文献】
【０００５】
【特許文献１】特開平７−２０４１６６号公報
【特許文献２】特開２０１３−１４６５３２号公報
【発明の概要】
【発明が解決しようとする課題】
【０００６】
しかしながら、これらの監視装置及び在床判定装置では、人の在不在の判定を行う際に複雑な演算が行われる。このため、これらの監視装置及び在床判定装置では、消費電力が大きくなる。そこで、本発明は、消費電力を低減させた在不在センサ装置を提供することを目的とする。
【課題を解決するための手段】
【０００７】
本願において開示される発明のうち、代表的なものの概要を簡単に説明すれば、以下のとおりである。
【０００８】
本発明の代表的な実施の形態による在不在センサ装置は、生体の生体振動を検出し、生体振動に基づいた生体信号を生成する生体監視用センサと、生体信号に基づいて生体が居るかどうかの在不在判定を行うマイクロコントローラと、マイクロコントローラが在不在判定を行うアクティブモードと、マイクロコントローラが在不在判定を一時的に停止するスリープモードと、を切り替えるアクティベート信号を生成するタイマーと、を備え、マイクロコントローラは、アクティベート信号に基づいて、アクティブモードとスリープモードとを切替えつつ在不在判定を行う。
【発明の効果】
【０００９】
本願において開示される発明のうち、代表的なものによって得られる効果を簡単に説明すれば以下のとおりである。
【００１０】
すなわち、本発明の代表的な実施の形態によれば、消費電力を低減させた在不在センサ装置を提供することが可能となる。
【図面の簡単な説明】
【００１１】
【図１】本発明の実施の形態１に係る在不在センサ装置の構成の一例を示す図である。
【図２】本発明の実施の形態１に係る生体監視用センサの一例を示す図である。
【図３】本発明の実施の形態１に係る在不在センサ装置の使用状況の一例を示す図である。
【図４】本発明の実施の形態１に係る在不在センサ装置の使用状況の他の例を示す図である。
【図５】本発明の実施の形態１に係る在不在判定方法の一例を示すフローチャート図である。
【図６】本発明の実施の形態１に係る在不在判定方法の一例を示すフローチャート図である。
【図７】本発明の実施の形態１に係る在不在判定方法の動作例の概略を示す図である。
【図８】本発明の実施の形態１に係る在不在判定方法の動作例の概略を示す図である。
【図９】本発明の意実施の形態２に係る在不在センサ装置の構成の一例を示す図である。
【図１０】本発明の実施の形態３に係る生体監視用センサの構成の一例を示す図である。
【図１１】本発明の実施の形態３に係る生体監視用センサの他の例を示す図である。
【発明を実施するための形態】
【００１２】
以下、本発明の実施の形態を図面に基づいて詳細に説明する。なお、実施の形態を説明するための全ての図において、同一部には原則として同一の符号を付し、その繰り返しの説明は省略する。
【００１３】
（実施の形態１）
＜在不在検出装置の構成＞
図１は、本発明の実施の形態１に係る在不在センサ装置の構成の一例を示す図である。図２は、本発明の実施の形態１に係る生体監視用センサの一例を示す図である。図２（ａ）は、生体監視用センサ１０の平面図である。図２（ｂ）は、生体監視用センサ１０の断面図である。図３は、本発明の実施の形態１に係る在不在センサ装置の使用状況の一例を示す図である。図４は、本発明の実施の形態１に係る在不在センサ装置の使用状況の他の例を示す図である。
【００１４】
在不在センサ装置１は、図１に示すように、例えば、生体監視用センサ１０、生体信号増幅部２０、生体信号変換部３０、マイクロコントローラ５０、タイマー４０、電池（バッテリ）６０、無線モジュール７０等を備えている。これらのうち、例えば、生体信号増幅部２０、生体信号変換部３０、マイクロコントローラ５０、タイマー４０、バッテリ６０、無線モジュール７０等は、図１に示すように、解析ボード８０に搭載されている。
【００１５】
生体監視用センサ１０は、例えば、図２（ａ）、図２（ｂ）に示すように、振動伝達板１１、生体振動検出部１２を備えている。生体監視用センサ１０は、図２（ｂ）に示すように、振動伝達板１１の主面１１ａに生体振動検出部１２が積層されて構成されている。生体監視用センサ１０は、生体（例えば、人）の生体振動を検出し、検出された生体振動を生体信号として生体信号増幅部２０へ出力する。詳しくは、人の生体振動が振動伝達板１１を介して生体振動検出部１２に伝達される。生体振動検出部１２は、伝達された生体振動に基づいて所定の生体信号（例えば、電圧）を生成する。生体振動検出部１２は、生成した生体信号を生体信号増幅部２０へ出力する。
【００１６】
生体監視用センサ１０は、例えば、図３に示すように、椅子１００１の座部１０１０の座面１０１０ａに設置される。このとき、例えば、解析ボード８０は、座部１０１０の裏面１０１０ｂや、背もたれ部１０２０の背面１０２０ｂ等に設置される。
【００１７】
また、生体監視用センサ１０は、例えば、図４に示すように、ベッド２００１に設置される。例えば、生体監視用センサ１０は、ベッドマット２０１０を支持するベッドマット支持部２０２０の上面２０２０ａに設置される。あるいは、生体監視用センサ１０は、例えば、ベッドマット２０１０の上面２０１０ａに設置されてもよい。
【００１８】
振動伝達板１１は、例えば、ポリプロピレン（ＰＰ：Ｐｏｌｙｐｒｏｐｙｌｅｎｅ）、ポリエチレンテレフタラート（ＰＥＴ：Ｐｏｌｙｅｔｈｙｌｅｎｅｔｅｒｅｐｈｔｈａｌａｔｅ）、ポリオキシメチレン又はポリアセタール（ＰＯＭ：Ｐｏｌｙｏｘｙｍｅｔｈｙｌｅｎｅ、Ｐｏｌｙａｃｅｔａｌ）等の樹脂からなる。
【００１９】
振動伝達板１１の形状は、生体監視用センサ１０が設置される場所に応じて任意に変更されてもよい。例えば、生体監視用センサ１０が、図４に示すベッド２００１に設置される場合には、振動伝達板１１は、例えば矩形状に形成される。この場合、振動伝達板１１の長手方向の長さは、例えば、６００ｍｍ〜９００ｍｍ程度である。また、振動伝達板１１の長手方向の長さは、例えば、ベッド２００１の幅方向の長さと同程度であってもよい。また、この場合、振動伝達板１１の短手方向の長さは、例えば、２０ｍｍ〜１００ｍｍである。
【００２０】
一方、振動伝達板１１の厚みは、例えば、０．５ｍｍ〜５ｍｍであることが好ましい。振動伝達板１１の厚みが０．５ｍｍより薄いと、振動伝達板１１の耐久性が低下するからである。また、振動伝達板１１の厚みが５ｍｍより厚いと、生体振動が振動伝達板１１から生体振動検出部１２へ伝達されにくくなるからである。
【００２１】
生体振動検出部１２は、例えば、生体振動を電気信号に変換する圧電トランスデューサーからなる。圧電トランスデューサーは、例えば、強誘電性を有する樹脂からなる。強誘電性を有する樹脂には、例えば、ポリフッ化ビニリデン（ＰＶＤＦ：ＰｏｌｙＶｉｎｙｌｉｄｅｎｅ  ＤｉＦｌｕｏｒｉｄｅ）が用いられる。生体振動検出部１２は、振動伝達部１１から伝達された生体振動を検出し、生体振動に基づいて、例えば、電圧等の電気信号からなる生体信号を生成する。生体振動検出部１２は、生成した生体信号を生体信号増幅部２０へ出力する。なお、生体振動検出部１２は、振動伝達板１１の主面１１ａの任意の位置に配置されてもよい。
【００２２】
振動伝達板１１の積層方向、すなわち振動伝達板１１の主面１１ａの法線方向から見た生体振動検出部１２は、例えば、矩形状に形成されている。この場合、生体振動検出部１２は、振動伝達板１１の主面１１ａに、例えば、長手方向が振動伝達板１１の長手方向に沿い、短手方向が振動伝達板１１の短手方向に沿うように配置される。
【００２３】
この場合、生体振動検出部１２の長手方向の長さは、例えば、２０ｍｍ〜５００ｍｍである。また、生体振動検出部１２の短手方向の長さは、例えば、３ｍｍ〜２０ｍｍである。生体振動検出部１２の長さがこのように規定されるのは、以下の理由による。生体振動検出部１２の長手方向の長さが２０ｍｍを下回り、かつ短手方向の長さが３ｍｍを下回る場合、生体振動検出部１２が小さすぎて、生体振動の検出能力が不足するからである。また、生体振動検出部１２の長手方向の長さが５００ｍｍを超え、かつ短手方向の長さが２０ｍｍを超える場合、生体振動検出部１２は、サイズが大きく、生体振動以外の外部振動の影響を受けやすくなり、検出された生体振動に大きなノイズが含まれることがあるからである。また、生体振動検出部１２の面積が大きいと、小さいノイズでも振動伝達板１１の歪みが発生し、多くのノイズを拾ってしまうからである。
【００２４】
振動伝達板１１の法線方向からみた生体振動検出部１２の形状は、矩形に限定されず、例えば、円形や楕円形等であってもよい。生体振動検出部１２の厚みは、例えば０．１ｍｍ〜１．０ｍｍである。
【００２５】
振動伝達板１１の寸法と生体振動検出部１２の寸法について、それぞれ説明したが、これらの寸法は生体監視用センサ１０としての全体のバランスを考慮して設定される。例えば、振動伝達板１１の寸法と生体振動検出部１２の寸法との比率は、長手方向及び短手方向のいずれにおいても、振動伝達板１１の長さが生体振動検出部１２の長さの１．５倍〜２．５倍であることが望ましい。
【００２６】
生体信号増幅部２０は、生体監視用センサ１０から出力された生体信号を増幅する。例えば、生体信号増幅部２０は、生体信号の電圧を増幅する。生体信号増幅部２０は、例えば、電圧等が増幅された生体信号を生体信号変換部３０へ出力する。
【００２７】
生体信号増幅部２０は、例えば、マイクロコントローラ５０による制御により、生体信号の増幅を行う増幅実行モードと、生体信号の増幅を一時的に停止する増幅停止モードと、を切り替える。例えば、生体信号増幅部２０は、マイクロコントローラ５０から出力される増幅モード切替信号に基づいて増幅実行モードと増幅停止モードとを切り替える。なお、増幅モード切替信号の詳細については後述する。
【００２８】
生体信号変換部３０は、アナログ信号の生体信号をデジタル信号に変換する。生体信号変換部３０は、例えば、生体信号増幅部２０から出力された増幅された生体信号をデジタル信号に変換する。生体信号変換部３０は、生体信号増幅部２０から出力された増幅された生体信号を所定のタイミングでサンプリングし、サンプリングした増幅された生体信号をデジタル信号に変換する。生体信号変換部３０は、例えば、マイクロコントローラ５０から指示された所定のタイミングにより、生体信号をサンプリングする。生体信号変換部３０は、デジタル信号に変換された生体信号をマイクロコントローラ５０へ出力する。
【００２９】
生体信号変換部３０は、例えば、マイクロコントローラ５０による制御により、生体信号のデジタル変換を行う変換実行モードと、生体信号のデジタル変換を一時的に停止する変換停止モードと、を切り替える。例えば、生体信号変換部３０は、マイクロコントローラ５０から出力される変換モード切替信号に基づいて変換実行モードと変換停止モードとを切り替える。なお、変換モード切替信号の詳細については後述する。
【００３０】
タイマー４０は、マイクロコントローラ５０が、後述する在不在判定を一時的に停止しているスリープモードから、マイクロコントローラ５０が在不在判定を行うアクティブモードへ切り替えるアクティベート信号を生成する。タイマー４０は、生成したアクティベート信号をマイクロコントローラ５０へ出力する。
【００３１】
また、タイマー４０は、例えば、時間の測定を行う。例えば、タイマー４０は、アクティベート信号を前回アサートしてから経過した時間を測定する。
【００３２】
タイマー４０は、例えば、カウンターを備え、カウンターのカウント数に基づいて時間を測定してもよい。また、タイマー４０は、例えば時計を備え、時計の時刻に基づいて時間を計測してもよい。
【００３３】
マイクロコントローラ５０は、タイマー４０から出力されたアクティベート信号に基づいて、アクティブモードとスリープモードとを切替えつつ在不在判定を行う。アクティブモードでは、例えば、マイクロコントローラ５０の内部クロックが発生している。一方、スリープモードでは、例えば、マイクロコントローラ５０の内部クロックの発生が停止している。あるいは、内部クロックが発生していても、内部クロックの周波数が小さくなっている。
【００３４】
例えば、マイクロコントローラ５０は、アクティブモードで在不在判定を１回行うとスリープモードに切り替わり、所定の時間間隔でアクティブモードに切り替わる。マイクロコントローラ５０では、このようなモード切替動作が繰り返し行われ、在不在判定が繰り返し行われる。
【００３５】
マイクロコントローラ５０は、生体信号の解析を行う。マイクロコントローラ５０は、生体信号に基づいて生体が居るかどうかの在不在判定を行う。マイクロコントローラ５０は、例えば、生体信号変換部３０でデジタル信号変換された生体信号に基づいて在不在判定を行う。マイクロコントローラ５０は、例えば、デジタル信号変換された生体信号から電圧を抽出し、抽出した電圧に基づいて在不在判定を行う。
【００３６】
マイクロコントローラ５０は、在不在判定において、前回の生体信号と今回の生体信号との差分の絶対値である生体信号変動値を算出する。例えば、マイクロコントローラ５０は、前回のデジタル信号化された増幅された生体信号（例えば、電圧）と、今回のデジタル信号化された増幅された生体信号（例えば、電圧）との差分の絶対値である生体信号変動値（例えば、電位差）を算出する。また、マイクロコントローラ５０は、生体信号変動値と所定の変動閾値とを比較し、生体が居るかどうかを仮判定（予備判定）する第１の在不在判定を行う。
【００３７】
第１の在不在判定において、生体信号変動値が変動閾値を超えている場合、マイクロコントローラ５０は、生体が居るものと仮判定する。そして、マイクロコントローラ５０は、生体が居るものと仮判定した回数である生体検出回数をカウントする。一方、第１の在不在判定において、生体信号変動値が変動閾値以下である場合、マイクロコントローラ５０は、生体が居ないものと仮判定する。この場合、マイクロコントローラ５０は、生体検出回数をカウントしない。
【００３８】
また、マイクロコントローラ５０は、直近で所定の回数（例えば、Ｎ回）行われた第１の在不在判定において、生体が居るものと仮判定された回数である生体検出回数（例えば、Ｍ回）が、生体が居るかどうかの判定基準となる所定の在不在判定回数（例えば、Ｌ回）以上であるかどうかを判定する第２の在不在判定を行う。また、マイクロコントローラ５０は、第２の在不在判定において、生体検出回数が在不在判定回数以上である場合、生体が居る（すなわち、「在」）ものと判定し、生体検出回数が在不在判定回数未満である場合、生体が居ない（すなわち、「不在」）ものと判定する。
【００３９】
また、マイクロコントローラ５０は、仮判定（第１の在不在判定）が行われた回数（Ｎ回）、及び生体が検出された回数（Ｍ回）に基づく所定の割合（例えば、Ｍ／Ｎ×１００（％））を算出することにより、在不在判定を行ってもよい。例えば、マイクロコントローラ５０は、この割合が、仮判定（第１の在不在判定）が行われた回数（Ｎ回）、在不在判定回数（Ｌ回）に基づく所定の割合（例えば、Ｌ／Ｎ×１００（％））以上である場合、生体が居る（すなわち、「在」）ものと判定する。また、マイクロコントローラ５０は、所定の割合（Ｍ／Ｎ×１００（％））が所定の割合（Ｌ／Ｎ×１００（％））未満である場合、生体が居ない（すなわち、「不在」）ものと判定する。
【００４０】
なお、仮判定（第１の在不在判定）の回数（Ｎ回）、及び在不在判定回数（Ｌ回）が大きいと、在不在を誤判定する可能性が小さくなるが、在不在判定結果が変動するまでの時間が長くなる。このため、これらの回数は、許容される時間内に在不在判定結果が変動するように設定されることが望ましい。
【００４１】
マイクロコントローラ５０は、今回の在不在判定結果と前回の在不在判定結果とが異なると判定した場合、今回の在不在判定結果を無線モジュール７０を介して出力する。
【００４２】
また、マイクロコントローラ５０は、生体信号増幅部２０が生体信号の増幅を行う増幅実行モードと、生体信号増幅部２０が生体信号の増幅を一時的に停止する増幅停止モードとを切り替える増幅モード切替信号を生成する。また、マイクロコントローラ５０は、アクティブモードからスリープモードへ切り替わる前に、増幅実行モードから増幅停止モードへ切り替える増幅モード切替信号を生成する。マイクロコントローラ５０は、例えば、生体信号変換部３０から出力された、デジタル信号に変換された生体信号の入力を受け付けると、生体信号増幅部２０を増幅実行モードから増幅停止モードに切り替える増幅モード切替信号を生成する。
【００４３】
また、マイクロコントローラ５０は、スリープモードからアクティブモードへ切り替わった後、増幅停止モードから増幅実行モードへ切り替える増幅モード切替信号を生成する。マイクロコントローラ５０は、生成した増幅モード切替信号を生体信号増幅部２０へ出力する。
【００４４】
また、マイクロコントローラ５０は、生体信号変換部３０が生体信号のデジタル変換を行う変換実行モードと、生体信号変換部３０が生体信号のデジタル変換を一時的に停止する変換停止モードとを切り替える変換モード切替信号を生成する。また、マイクロコントローラ５０は、アクティブモードからスリープモードへ切り替わる前に、変換実行モードから変換停止モードへ切り替える変換モード切替信号を生成する。マイクロコントローラ５０は、例えば、生体信号変換部３０から出力された、デジタル信号に変換された生体信号の入力を受け付けると、生体信号変換部３０を変換実行モードから変換停止モードに切り替える変換モード切替信号を生成する。
【００４５】
また、マイクロコントローラ５０は、スリープモードからアクティブモードへ切り替わった後、変換停止モードから変換実行モードへ切り替える変換モード切替信号を生成する。マイクロコントローラ５０は、生成した変換モード切替信号を生体信号変換部３０へ出力する。
【００４６】
バッテリ６０は、例えば、生体信号増幅部２０、生体信号変換部３０、マイクロコントローラ５０、タイマー４０、無線モジュール７０等、在不在センサ装置１を構成する各部へ電力を供給する。本実施の形態では、バッテリ６０には、例えば、いわゆる乾電池、ボタン電池、リチウム電池、ニッケル水素電池、ニッケル・カドニウム電池等の各種電池が用いられる。
【００４７】
無線モジュール７０は、例えば、図１に示すように、無線通信を介して外部装置３００１と接続される。無線モジュール７０は、例えば、Ｂｌｕｅｔｏｏｔｈ（登録商標）、ＺｉｇＢｅｅ（登録商標）等の方式の近距離無線を介して外部装置３００１と接続される。また、無線モジュール７０は、例えば、図１に示すように、無線ＬＡＮ（Ｌｏｃａｌ  Ａｒｅａ  Ｎｅｔｗｏｒｋ）装置３０１１及びネットワーク３０１２を介して外部装置３００１と接続される。外部装置３００１は、例えば、データ格納用のサーバ、パソコンやタブレット等の端末等である。
【００４８】
無線モジュール７０は、例えば、マイクロコントローラ５０が今回の在不在判定結果と前回の在不在判定結果とが異なると判定した場合、今回の在不在判定結果を外部装置３００１へ出力する。無線モジュール７０は、例えば、ナースコールシステム等で使用される外部装置３００１へ今回の在不在判定結果を出力する。
【００４９】
解析ボード８０は、例えば、基板などの板状の部材で構成されている。解析ボード８０には、例えば、生体監視用センサ１０、生体信号変換部３０、マイクロコントローラ５０、タイマー４０、無線モジュール７０等を接続する配線等が設けられている。
【００５０】
なお、在不在センサ装置１は、例えば、足踏みマット式等の離床センサと同様に用いられてもよい。また、在不在センサ装置１は、有線で外部装置３００１と接続されてもよい。例えば、在不在センサ装置１及び外部装置３００１に図示しない接続ポートが設けられ、互いの接続ポートを接続ケーブルで接続されることにより、在不在センサ装置１及び外部装置３００１が有線で接続される。
【００５１】
＜在不在判定方法＞
次に、在不在センサ装置１を用いた在不在判定方法について説明する。図５及び図６は、本発明の実施の形態１に係る在不在判定方法の一例を示すフローチャート図である。図７、図８は、本発明の実施の形態１に係る在不在判定方法の動作例の概略を示す図である。図７（ａ）は、生体信号変換部３０で変換された生体信号を示す図である。図７（ａ）の縦軸は、相対的な値を示している。図７（ｂ）は、生体信号変動値を示す図である。図７（ｂ）は、併せて、判定基準（変動閾値）０．２を一点鎖線で示している。図７（ｃ）は、予備判定（仮判定）結果ＰＦを示す図である。予備判定結果ＰＦは、生体が検出された場合１であり、生体が検出されなかった場合０である。図８（ａ）は、生体検出回数を示す図である。図８（ａ）は、直近８回の予備判定において、予備判定結果ＰＦが１となった回数を示している。図８（ｂ）は在不在判定結果を示す図である。図８（ｂ）では、図８（ａ）の生体検出回数Ｍが在不在判定回数（Ｌ＝３）以上の場合には、在不在判定結果は１である。一方、生体検出回数Ｍが在不在判定回数（Ｌ＝３）未満の場合には、在不在判定結果は０である。
【００５２】
なお、図７、図８には、０．２秒毎にサンプリングが行われる場合の例が示されている。また、図７、図８では、約１．５秒以前と約３．１秒以降は、生体（例えば、人）が実際に居らず（不在）、約１．５秒から約３．１秒までは、生体が実際に居る（在）場合の例が示されている。
【００５３】
在不在判定方法では、図５〜６に示すように、ステップＳ１０〜Ｓ１１０が行われる。まず、ステップＳ１０では、タイマー４０は、マイクロコントローラ５０がスリープモードに切り替わってから経過した時間を計測する。
【００５４】
ステップＳ２０（第１のステップ）では、マイクロコントローラ５０がスリープモードに切り替わってから経過した時間が、所定の時間を経過すると、タイマー４０は、マイクロコントローラ５０を活性化させる。例えば、タイマー４０が、マイクロコントローラ５０をスリープモードからアクティブモードに切り替える。例えば、タイマー４０は、スリープモードからアクティブモードへ切り替えるアクティベート信号をマイクロコントローラ５０へ出力する。マイクロコントローラ５０がアクティブモードに切り替わると、マイクロコントローラ５０では、内部クロックが発生し動作を開始する。これにより、マイクロコントローラ５０は、在不在判定を行うことが可能な状態となる。
【００５５】
ステップＳ３０では、マイクロコントローラ５０は、生体信号増幅部２０、生体信号変換部３０を活性化させる。例えば、マイクロコントローラ５０は、生体信号増幅部２０を増幅停止モードから増幅実行モードへ切り替える増幅モード切替信号を生体信号増幅部２０へ出力する。また、マイクロコントローラ５０は、生体信号変換部３０を変換停止モードから変換実行モードへ切り替える変換モード切替信号を生体信号変換部３０へ出力する。
【００５６】
そして、生体信号増幅部２０は、生体監視用センサ１０から出力された生体信号の増幅を行う。また、生体信号増幅部２０は、増幅した生体信号を生体信号変換部３０へ出力する。
【００５７】
ステップＳ４０では、生体信号増幅部２０の出力が安定した後、生体信号変換部３０は、増幅された生体信号をデジタル信号に変換する。例えば、生体信号変換部３０は、生体信号増幅部２０から出力された生体信号を所定のタイミング（例えば、０．２秒ごと）でサンプリングし、サンプリングした生体信号をデジタル信号に変換する。生体信号変換部３０は、例えば、マイクロコントローラ５０から指示されたタイミングにより、生体信号をサンプリングする。生体信号変換部３０は、デジタル信号に変換された生体信号をマイクロコントローラ５０へ出力する。例えば、図７（ａ）には、増幅されデジタル変換された生体信号の波形が示されている。
【００５８】
ステップＳ５０では、マイクロコントローラ５０は、生体信号増幅部２０、生体信号変換部３０を非活性化させる。例えば、マイクロコントローラ５０は、生体信号増幅部２０を増幅実行モードから増幅停止モードへ切り替える増幅モード切替信号を生体信号増幅部２０へ出力する。また、マイクロコントローラ５０は、生体信号変換部３０を変換実行モードから変換停止モードへ切り替える変換モード切替信号を生体信号変換部３０へ出力する。
【００５９】
そして、生体信号増幅部２０は、生体監視用センサ１０から出力された生体信号の増幅を停止する。生体信号変換部３０は、増幅された生体信号のデジタル信号への変換を停止する。
【００６０】
ステップＳ６０（第２のステップ）では、マイクロコントローラ５０が、前回の生体信号と今回の生体信号との差分の絶対値である生体信号変動値を算出する。例えば、マイクロコントローラ５０は、前回のデジタル信号化された増幅された生体信号（例えば、電圧）と、今回のデジタル信号化された増幅された生体信号（例えば、電圧）との差分の絶対値である生体信号変動値（例えば、電位差）を算出する。例えば、図７（ｂ）には、図７（ａ）に示す生体信号の波形に基づいて算出された生体信号変動値が示されている。
【００６１】
ステップＳ７０（第３のステップ）では、マイクロコントローラ５０が、生体信号変動値と所定の変動閾値とを比較し、生体が居るかどうかを仮判定（予備判定）する第１の在不在判定を行う。第１の在不在判定において、生体信号変動値が変動閾値を超えている場合（ＹＥＳ）、マイクロコントローラ５０は、生体が居るものと仮判定する。そして、マイクロコントローラ５０は、図５に示すように、生体が居るものと仮判定した回数である生体検出回数をカウントする。
【００６２】
一方、第１の在不在判定において、生体信号変動値が変動閾値以下である場合（ＮＯ）、マイクロコントローラ５０は、生体が居ないものと仮判定する。この場合、マイクロコントローラ５０は、図５に示すように、生体検出回数をカウントしない。
【００６３】
図７、図８の例では、図７（ｂ）の一点鎖線で示す変動閾値を超えている各時刻では、生体が居るものと仮判定されている。この場合、生体検出回数がカウントされる。一方、変動閾値以下の各時刻では、生体が居ないものと仮判定されている。この場合、生体検出回数はカウントされない。
【００６４】
ステップＳ８０（第４のステップ）では、マイクロコントローラ５０が、直近で所定の回数（Ｎ回）行われた第１の在不在判定においてカウントされた生体検出回数（Ｍ回）が、生体が居るかどうかの判定基準となる所定の在不在判定回数（Ｌ回）以上であるかどうかを判定する第２の在不在判定を行う。
【００６５】
また、マイクロコントローラ５０は、第２の在不在判定において、生体検出回数（Ｍ回）が在不在判定回数（Ｌ回）以上（Ｍ≧Ｌ）である場合（ＹＥＳ）、図５に示すように、生体が居るもの（すなわち、「在」）と判定する。一方、マイクロコントローラ５０は、第２の在不在判定において、生体検出回数が在不在判定回数未満（Ｍ＜Ｌ）である場合（ＮＯ）、図５に示すように、生体が居ないもの（すなわち、「不在」）と判定する。
【００６６】
図７、図８では、予備判定（仮判定）回数Ｎが８、在不在判定回数Ｌが３である場合の例が示されている。図７（ａ）では、在不在判定の開始後、０．８秒で外乱ノイズの影響で、生体信号変動値が大きくなっている。このため、図７（ｂ）に示すように、生体信号変動値が変動閾値（０．２）を超え、図７（ｃ）に示す予備判定（仮判定）結果が１となっている。このとき、生体検出回数Ｍは、図８（ａ）に示すように、１となるが、在不在判定回数Ｌ（例えば、Ｌ＝３）未満である。よって、在不在判定結果は、図８（ｂ）に示すように、０であり、不在判定のままとなっている。また、３．０秒で生体信号変動値が小さくなって、予備判定（仮判定）結果が０となっているが、在判定のままとなっている。このように、直近Ｎ回の生体検出回数を算出して判定することで、単発的なノイズの影響を除去できる。
【００６７】
約１．５秒以降で、生体が居るようになって生体信号変動値が大きくなってから行われた仮判定の回数が増えることで、１．８秒に在不在判定結果は「在」へ変動する。
【００６８】
その後、約３．１秒に生体が再び居なくなり、生体信号変動値が小さくなってから行われた仮判定の回数が増えることで、４．２秒に在不在判定結果は、「不在」へ変動する。
【００６９】
このように、不在から在に変わるときはＬサンプル程度、在から不在に変わるときは（Ｎ−Ｌ）サンプル程度、遅れて在不在判定結果が遷移する。予備判定（仮判定）回数Ｎ及び在不在判定回数Ｌの両方を大きくすると誤判定の可能性が小さくなるが、判定が変わるまでの時間が長くなる。許容される時間内で在不在判定結果が変化するように、予備判定（仮判定）回数Ｎと生体検出回数Ｍを設定することが望ましい。
【００７０】
図６のステップＳ９０では、マイクロコントローラ５０が、今回の在不在判定結果と、前回の在不在判定結果とが同一であるがどうかを判定する在不在変動判定を行う。在不在変動判定において、マイクロコントローラ５０が、今回の在不在判定結果と、前回の在不在判定結果とが異なると判定した場合、図６に示すように、ステップＳ１００の処理が行われる。一方、在不在変動判定において、マイクロコントローラ５０が今回の在不在判定結果と、前回の在不在判定結果とが異なると判定した場合、ステップＳ１１０の処理が行われる。
【００７１】
ステップＳ１００では、無線モジュール７０が、無線通信を介して今回の在不在判定結果を外部装置３００１へ出力する。
【００７２】
ステップＳ１１０（第５のステップ）では、マイクロコントローラ５０が、アクティブモードからスリープモードに切り替わる。マイクロコントローラ５０がスリープモードに切り替わると、マイクロコントローラ５０では、例えば、内部クロックの発生が停止する。
【００７３】
＜本実施の形態による効果＞
本実施の形態によれば、以下の効果が得られる。例えば、本実施の形態によれば、マイクロコントローラ５０は、アクティベート信号に基づいて、アクティブモードとスリープモードとを切り替えつつ在不在判定を行う。この構成によれば、マイクロコントローラ５０は、間欠的な動作を行うので、消費電力が低減される。
【００７４】
また、本実施の形態によれば、マイクロコントローラ５０は、在不在判定において、生体信号変動値と所定の変動閾値とを比較し、生体が居るかどうかを仮判定する第１の在不在判定を繰り返し行う。
【００７５】
そして、マイクロコントローラ５０は、仮判定（第１の在不在判定）において、生体信号変動値が変動閾値を超えている場合、生体が居るものと仮判定し、生体が居るものと仮判定した回数である生体検出回数をカウントする。そして、マイクロコントローラ５０は、直近で所定の回数行われた仮判定においてカウントされた生体検出回数が、生体が居るかどうかの判定基準となる所定の在不在判定回数以上であるかどうかを判定する。そして、マイクロコントローラ５０は、生体検出回数が在不在判定回数以上である場合、生体が居るものと判定し、生体検出回数が在不在判定回数未満である場合、生体が居ないものと判定する。
【００７６】
この構成によれば、生体の在不在判定において複雑な処理が行われないので、消費電力が低減される。また、これにより、在不在判定に要する時間が短縮される。また、高性能なマイクロコントローラを用いなくてもよいので、製造コストが低減される。
【００７７】
また、本実施の形態によれば、マイクロコントローラ５０は、今回の在不在判定結果と、前回の在不在判定結果と、が同一であるがどうかを判定する在不在変動判定を行う。また、マイクロコントローラ５０が、在不在変動判定において、今回の在不在判定結果と、前回の在不在判定結果とが異なると判定した場合、無線モジュール７０は、無線通信を介して今回の在不在判定結果を外部装置３００１へ出力する。この構成によれば、在不在判定結果が変動した場合にのみ、在不在判定結果が出力されるので、在不在判定結果の出力に要する電力が低減される。
【００７８】
また、本実施の形態によれば、マイクロコントローラ５０は、デジタル信号に変換された生体信号に基づいて在不在判定を行う。この構成によれば、生体信号がデジタル変換されるので、マイクロコントローラ５０における生体信号の解析が効率的に行われる。
【００７９】
また、本実施の形態によれば、マイクロコントローラ５０は、アクティブモードからスリープモードへ切り替わる前に、生体信号変換部３０を変換実行モードから変換停止モードへ切り替え、スリープモードからアクティブモードへ切り替わった後、生体信号変換部３０を変換停止モードから変換実行モードへ切り替える。この構成によれば、生体信号変換部３０は、活性化された状態と非活性化された状態とが切り替えられるので、生体信号変換部３０における消費電力が低減される。
【００８０】
また、本実施の形態によれば、生体信号を増幅する生体信号増幅部２０が設けられている。この構成によれば、生体監視用センサ１０から出力された微弱な生体信号が増幅されるので、生体信号の取扱いが容易になる。また、生体の在不在判定の精度が向上する。
【００８１】
また、本実施の形態によれば、マイクロコントローラ５０は、アクティブモードからスリープモードへ切り替わる前に、生体信号増幅部２０を増幅実行モードから増幅停止モードへ切り替え、スリープモードからアクティブモードへ切り替わった後、生体信号増幅部２０を増幅停止モードから増幅実行モードへ切り替える。この構成によれば、生体信号増幅部２０は、活性化された状態と非活性化された状態とが切り替えられるので、生体信号増幅部２０における消費電力が低減される。
【００８２】
また、本実施の形態によれば、在不在センサ装置１を構成する各部へ電力を供給するバッテリが設けられている。この構成によれば、外部電源を設ける必要がなくなるので、設置場所の選択肢が拡大される。また、在不在センサ装置１と外部電源とを接続する配線が不要になるので、在不在センサ装置１の設置が容易になる。
【００８３】
また、本実施の形態によれば、バッテリが乾電池で構成されている。この構成によれば、バッテリの交換が容易に行われるので、汎用性が向上する。
【００８４】
また、本実施の形態によれば、生体監視用センサ１０は、生体の生体振動を伝達する振動伝達板１１と、生体振動に基づいて生体信号を生成する生体振動検出部１２と、を備えている。この構成によれば、生体振動が効率的に生体振動検出部１２へ伝達されるので、生体振動の検出精度が向上する。
【００８５】
また、本実施の形態によれば、生体振動検出部３１２が圧電トランスデューサーからなる。この構成によれば、生体振動が電気信号からなる生体信号に変換されるので、マイクロコントローラ５０での在不在判定が効率的に行われる。
【００８６】
また、本実施の形態によれば、在不在センサ装置１が椅子１００１に設置される。この構成によれば、椅子１００１の利用者の在不在が検出される。これにより、例えば、椅子１００１が、店舗に設置されれば、店舗の稼働状況を算出することができる。
【００８７】
（実施の形態２）
次に、本発明の実施の形態３について説明する。本実施の形態では、生体監視用センサの他の構成について説明する。太陽電池を備えた在不在センサ装置について説明する。なお、以下では、前述の実施の形態と重複する箇所については、原則としてその説明を省略する。
【００８８】
図９は、本発明の実施の形態２に係る在不在センサ装置の構成の一例を示す図である。本実施の形態では、図９に示すように、バッテリが太陽電池２６０で構成されている。太陽電池２６０は、図９に示すように、太陽電池パネル２６１、電源制御部２６２、蓄電素子２６３を備えている。
【００８９】
太陽電池パネル２６１は、例えば、照明光等により発電する。太陽電池パネル２６１は、照射される光の光量に応じた電力を発生させる。太陽電池パネル２６１は、例えば、１枚であってもよいし複数枚であってもよい。太陽電池パネル２６１は、発生させた電力を電源制御部２６２へ出力する。
【００９０】
電源制御部２６２は、太陽電池パネル２６１から出力された電力に対する電源制御を行う。例えば、電源制御部２６２は、例えば、太陽電池パネル２６１から出力された電力の電圧を所定の電圧に調整する電圧調整を行う。電源制御部２６２は、例えば、いわゆるＤＣ−ＤＣコンバータ等で構成されている。電源制御部２６２は、電源制御が行われた電力を蓄電素子２６３へ出力する。また、電源制御部２６２は、電源調整が行われた電力を在不在センサ装置２０１を構成する各部へ供給してもよい。
【００９１】
蓄電素子２６３は、電源制御部２６２から出力された電源制御された電力を蓄電する。また、蓄電素子２６３は、蓄電した電力を、在不在センサ装置２０１を構成する各部へ供給する。蓄電素子２６３は、例えば、大容量コンデンサ（スーパーキャパシタ）やいわゆる二次電池等で構成されている。
【００９２】
なお、蓄電素子２６３が、在不在センサ装置２０１を構成する各部へ電力を供給する際、例えば、電源調整部２６２が、蓄電素子２６３から出力された電力の電源調整を行ってもよい。
【００９３】
解析ボード８０には、例えば、電源制御部２６２、蓄電素子２６３が搭載されている。また、在不在センサ装置２０１の設置場所に応じて、例えば、太陽電池パネル２６１が解析ボード８０に搭載されてもよい。
【００９４】
本実施の形態によれば、前述の実施の形態による効果に加え、以下の効果が得られる。例えば、本実施の形態によれば、太陽電池パネル２６１が発電した電力が在不在センサ装置１の各部へ供給されるので、電池交換が不要になり、保守作業が軽減される。
【００９５】
なお、太陽電池２６１とともに、電池６０が設けられてもよい。これにより、電池６０だけの場合よりも電池寿命が延長される。また、照明を消した場合など、太陽電池２６１の発電量が一時的に低下するような状況にも対応することが可能となる。
【００９６】
（実施の形態３）
次に、本発明の実施の形態３について説明する。本実施の形態では、生体監視用センサの他の構成について説明する。例えば、生体振動検出部の圧電トランスデューサーが圧電セラミックからなる場合について説明する。なお、以下では、前述の実施の形態と重複する箇所については、原則としてその説明を省略する。
【００９７】
図１０は、本発明の実施の形態３に係る生体監視用センサの構成の一例を示す図である。図１０（ａ）は、生体監視用センサ３１０の平面図、図１０（ｂ）は、生体監視用センサ３１０の断面図である。生体監視用センサ３１０は、例えば、図１０（ａ）、図１０（ｂ）に示すように、振動伝達板１１、生体振動検出部３１２を備えている。生体監視用センサ３１０は、図１０（ｂ）に示すように、振動伝達板１１の主面１１ａに生体振動検出部３１２が積層されている。
【００９８】
生体振動検出部３１２を構成する圧電トランスデューサーは、強誘電性を有する圧電セラミックからなる。生体振動検出部３１２に用いられる圧電セラミックとしては、例えば、チタン酸バリウム（ＢａＴｉＯ３）、チタン酸鉛（ＰｂＴｉＯ３）、チタン酸ジルコン酸鉛（ＰＢ（Ｚｒ，Ｔｉ）Ｏ３）等が挙げられる。
【００９９】
振動伝達板１１の積層方向、すなわち振動伝達板１１の法線方向から見た生体振動検出部３１２は、例えば略円形状に形成されている。この場合、法線方向から見た振動伝達板１１の形状は、例えば、矩形状や略円形状等である。例えば、振動伝達板１１の形状が略円形状である場合、振動伝達板１１の直径は、例えば２０ｍｍ〜４１ｍｍであることが好ましい。また、生体振動検出部３１２の直径は、例えば１４ｍｍ〜２５ｍｍであることが好ましい。
【０１００】
生体振動検出部１７の直径をこのように規定するのは、以下の理由による。生体振動検出部３１２の直径が１４ｍｍ未満となる場合、生体振動検出部３１２が小さすぎて、生体振動の検出能力が不足するからである。また、生体振動検出部３１２の直径が２５ｍｍを超える場合には、生体振動検出部３１２が大きすぎて、検出された生体振動に大きなノイズが乗ってしまうことがあるからである。生体振動検出部３１２の厚みは、例えば０．３ｍｍ〜０．８ｍｍである。
【０１０１】
次に、生体監視用センサのその他の構成について説明する。図１１は、本発明の実施の形態３に係る生体監視用センサの他の例を示す図である。図１１（ａ）は、生体監視用センサ４１０の平面図、図１１（ｂ）は、生体監視用センサ４１０の断面図である。
【０１０２】
生体監視用センサ４１０は、図１１（ａ）、図１１（ｂ）に示すように、振動伝達板１１と生体振動検出部１７との間に、金属板４１８が設けられている。金属板４１８は、例えば、樹脂からなる振動伝達板１１とセラミックからなる生体振動検出部３１２とを接合させる部材である。
【０１０３】
金属板４１８は、例えば、銅やアルミニウム等の金属からなる。振動伝達板１１の積層方向視における、すなわち振動伝達板１１の法線方向から見た金属板１８の形状は、例えば、生体振動検出部３１２に合わせた形状である。生体振動検出部３１２の形状が略円形であれば、金属板４１８の形状は、例えば、略円形である。この場合、金属板１８の直径の長さは、生体振動検出部１５の直径より大きくなるよう、例えば２０ｍｍ〜４１ｍｍであることが好ましい。
【０１０４】
本実施の形態によれば、生体振動検出部３１２が強誘電性を有する圧電セラミックからなる。この構成によれば、安価な圧電セラミックが生体振動検出部１７に用いられるので、製造コストが低減される。
【０１０５】
また、本実施の形態によれば、振動伝達板１１と生体振動検出部３１２との間に金属板４１８が設けられている。この構成によれば、振動伝達板１１と圧電セラミックからなる生体振動検出部３１２とが容易に接合されるので、信頼性が向上する。
【０１０６】
以上、本発明者によってなされた発明を発明の実施の形態に基づき具体的に説明したが、本発明は前記発明の実施の形態に限定されるものではなく、その要旨を逸脱しない範囲で種々変更可能であることは言うまでもない。
【０１０７】
なお、本発明は上記した実施の形態に限定されるものではなく、様々な変形例が含まれる。例えば、上記した実施の形態は本発明を分かりやすく説明するために詳細に説明したものであり、必ずしも説明した全ての構成を備えるものに限定されるものではない。
【０１０８】
また、ある実施の形態の構成の一部を他の実施の形態の構成に置き換えることが可能であり、また、ある実施の形態の構成に他の実施の形態の構成を加えることも可能である。また、各実施の形態の構成の一部について、他の構成の追加、削除、置換をすることが可能である。なお、図面に記載した各部材や相対的なサイズは、本発明を分かりやすく説明するため簡素化・理想化しており、実装上はより複雑な形状となる場合がある。
【符号の説明】
【０１０９】
１…在不在センサ装置、１０…生体監視用センサ、２０…生体振動増幅部、３０…生体振動変換部、４０…タイマー、５０…マイクロコントローラ、６０…電池、７０…無線モジュール、２０１…在不在センサ装置、２６０…太陽電池、１００１…椅子、２００１…ベッド、３００１…外部装置
【図１】
2018078980.tif 000003
【図２】
2018078980.tif 000004
【図３】
2018078980.tif 000005
【図４】
2018078980.tif 000006
【図５】
2018078980.tif 000007
【図６】
2018078980.tif 000008
【図７】
2018078980.tif 000009
【図８】
2018078980.tif 000010
【図９】
2018078980.tif 000011
【図１０】
2018078980.tif 000012
【図１１】
2018078980.tif 000013